(57)【要約】      （修正有）【課題】ドライブ中や震災時の緊急用トイレに関して、使用後に洗浄する必要がなく、何度でも使える簡易ドライブ緊急用トイレを提供する。【解決手段】便座枠のついたトイレ本体と糞尿を管理する糞尿袋を、別々の構造にしたことを特徴とする。糞尿袋は、使用する前に口を閉じる紐付きの糞尿袋にし、この糞尿袋をトイレ本体の便座枠に、誰にでも容易にセットできる輪ゴム装置を設置し、これにセットすれば、使用できる。使用後輪ゴム装置から閉じ紐を取り外し紐を引くだけでトイレ本体の便座枠からはずれ、糞尿袋の口が自動的に閉まる。このように、該簡易ドライブ緊急用トイレは、軽量で小型にし便器枠とハンドルを折り畳み式にし、スペア糞尿袋を携帯すれば、糞尿袋を交換するだけで、誰でも何人でも使用することができる。【選択図】図３
0003143347.tif 000002
【実用新案登録請求の範囲】
【請求項１】
開口部に閉用のゴム紐又は紐を付け底部に取っ手を付けた、略四辺形の糞尿袋、また空き袋などを便座枠に容易に取り外しできる装置を装着し、便座角度調整糞尿袋紐掛けハンドル、金隠しシートを組み合わせた簡易ドライブ震災時緊急用トイレ。
【請求項２】
請求項１の空き袋使用の糞尿袋取り外し装置は、紐付き輪ゴム構造で、便座枠にセットした糞尿袋を輪ゴムで固定し、紐を引けば容易に糞尿袋が外せる構造の簡易ドライブ震災時緊急用トイレ。
【請求項３】
請求項１の金隠し前掛けシートは略四角形で、腰紐やズボン吊りバンドへの取り付け具を付け、シートの中に容易に手を入れトイレ操作が出来るようにした金隠しシートを組み合わせた簡易ドライブ震災時緊急用トイレ。
【考案の詳細な説明】
【技術分野】
【０００１】  本案は、ドライブ中や震災時の緊急のトイレに関することです。従来のドライブ用トイレはトイレ本体に糞尿を滞留する形式のものです。よって、使用後は必ず洗浄しておくことが必須の条件となります。
本案は、排泄物は便座枠にセットされた「糞尿袋」に行なう方式ですから、トイレをいちいち洗浄する必要がなく。１００枚の糞尿袋があれば１００人が使用できます。
【背景技術】
【０００２】  従来のドライブ用トイレは、尿瓶型や花瓶型の物などがありますが、いずれもトイレ本体に糞尿を滞留する形式のもので、それ以外の構造の物は、拝見したことがありません。
【考案が解決しようとする課題】
【０００３】  第一の課題は、ドライブ震災時緊急トイレ用の「糞尿袋」の製作です。第二は、男女兼用・老若、子供も兼用できる簡易携帯トイレの製作です。第三は、排泄した糞尿を、いかにして清潔に、早く、確実に臭いまで密閉保存する方法とその保存器具の考案です。
第四は，他人の目にさらされずに、用をはたしたいことです。
【考案が解決するための手段】
【０００４】  上記第一の課題を解決するため、従来のトイレ本体糞尿滞留方式を「糞尿袋」処理方式にあらためます。「糞尿袋」にはトイレの「便座枠」にセットするためと、糞尿袋を自動的に閉口出来るよう、口紐をつけた糞尿袋を製作します。
【０００５】  第二の課題は、前記の「糞尿袋」の考案により、「糞尿袋」だけを交換すれば男女兼用・老若、子供も容易に兼用できます。  なお、折り畳み式のトイレで袋セット方式ですから，軽量で小型でドライブ携帯に便利で保存にも便利です。
【０００６】  第三の課題、糞尿袋は輪ゴム紐を引けば、自動的にはずれます。したがって、トイレの「洗浄水」を必要としません。誰にでも容易に糞尿袋がセットでき糞尿袋を取りかえることで何回でも使用できます。空き袋も使用できます。
第四課題は、金隠し前掛けシートを組み合わせて課題を解決しています。
【考案を実施するための最良の形態】
【０００７】    考案の実施の形態を図面により説明します。
図１，閉用ゴム紐と底部に取っ手を付けた糞尿袋の見取り図です。
Ａ，糞尿袋。Ｂ，閉じゴム紐。は、ハンドルに掛けて使用します。
Ｃ，底部の取っ手。自宅の便所に糞尿を入れるときに取っ手を使います。
図２，空き袋使用の糞尿袋取りつけ装置の説明見取り図です。
Ａ，輪ゴム。Ｂ，輪ゴム調節紐。Ａの輪ゴムをＢの調整紐を引いて、糞尿袋の片隅を      輪ゴムの下に挟み込み固定し糞尿袋をセットします。
図３，空き袋使用の輪ゴム固定トイレ各部の見取り説明図です。
Ａ，ハンドル。  Ｂ，角度調整軸。Ｃ，便座枠。  Ｄ，空き袋固定輪ゴム。
は、便座元部の「輪ゴム」にハサミ込み糞尿袋を固定セットします。
図４，ハンドルのゴム紐つき糞尿袋のゴム紐かけ部の見取り図です。
Ａ，ハンドル。  Ｂ，角度調整軸。Ｃ，ゴム紐つき糞尿袋のゴム紐かけ部。
図５，金隠し前掛けシートの見取り説明図です。
Ａ，腰紐。Ｂ，取りつけ部。は、取りつけ部をスライドして位置合わせが，容易にで      きます。Ｃ，金隠し前掛けシート。です。
【考案の効果】
【０００８】      本考案は上述のとおりであります。
【０００９】  ドライブには、予測できない渋滞が付きものです。そんな時一番困ることは「トイレ」の問題です。特に幼い子供を連れてのドライブです。本案の簡易トイレは、糞尿袋とトイレ本体を別の構造にし、糞尿袋を組み合わせて使用出来るようにした効果です。
１００枚の糞尿袋があれば１００人が使用できる。洗浄の必要なしに。便利です。
【図面の簡単な説明】
【００１０】
【図１】は閉用ゴム紐と底部に取っ手を付けた糞尿袋の見取り図です。
【図２】空き袋使用の糞尿袋取りつけ装置の説明見取り図です。
【図３】空き袋使用の輪ゴム固定トイレ各部の見取り説明図です。
【図４】ハンドルのゴム紐つき糞尿袋のゴム紐かけ部の見取り図です。
【図５】金隠し前掛けシートの見取り説明図です。
【符号の説明】
図１，ＡからＣの記号。    図２，ＡとＢの記号。    図３，ＡからＥの記号。
図４，ＡからＣの記号。    図５，ＡからＣの記号。を使用。しました。
【図１】
0003143347.tif 000003
【図２】
0003143347.tif 000004
【図３】
0003143347.tif 000005
【図４】
0003143347.tif 000006
【図５】
0003143347.tif 000007
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
便座枠角度調整ハンドル付き折り畳み式トイレに、開口部にゴム紐又は紐を付け底部に取っ手を付けた略四辺形の糞尿袋と、便座枠の元部に付けた糞尿袋止め具の紐付き輪ゴムをつけたトイレと、用便中の目隠し用の腰巻形式のシートを組み合わせた簡易ドライブ緊急用トイレ。
【請求項２】
請求項１の便座枠は、糞尿袋が適性な形でセット出来るよう、便座枠下にガイドピンを設置しています。
このピンと紐付き輪ゴム止め構造で、市販の空き袋も容易に使用できる構造の簡易ドライブ緊急用トイレ。
【請求項３】
請求項１の用便中の目隠し用の腰巻形式シートは、略四角形でバンド吊り形式の吊り具とし、数枚のシート使用ができ、吊る位置も高さも腰，胸、肩など適当な高さに吊れる、目隠しシートを組み合わせた簡易ドライブ緊急用トイレ。
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
緊急時の腰巻形式の金隠しシートと、便座枠角度調整ハンドル付き折り畳み式トイレに、開口部にゴム紐又は紐を付け底部に取っ手を付けた略四辺形の糞尿袋と、便座枠の元部に付けた糞尿袋止め具の紐付き輪ゴムをつけた、簡易ドライブ緊急用トイレ。
【請求項２】
請求項１の便座枠は、糞尿袋適性セットガイドピンを設置、空き袋もセット使用できる．紐付き輪ゴム袋止め構造の簡易ドライブ緊急用トイレ。
【請求項３】
請求項１の腰巻形式金隠しは、左右にスライドできる金隠しシートバンド吊り具を、体型や背丈に合わせ使用出来る二段に設置した，金隠しつき簡易ドライブ緊急用トイレ。
【手続補正書】
【提出日】平成20年4月19日(2008.4.19)
【手続補正１】
【補正対象書類名】実用新案登録請求の範囲
【補正対象項目名】全文
【補正方法】変更
【補正の内容】
【実用新案登録請求の範囲】
【請求項１】
緊急時の腰巻形式の金隠しシートと、便座枠角度調整ハンドル付き折り畳み式トイレに、開口部にゴム紐又は紐を付け底部に取っ手を付けた略四辺形の糞尿袋と、便座枠の元部に付けた糞尿袋止め具の紐付き輪ゴムをつけた、簡易ドライブ緊急用トイレ。
【請求項２】
前記便座枠は、糞尿袋適性セットガイドピンを設置、空き袋もセット使用できる，紐付き輪ゴム袋止め構造の請求項１に記載の簡易ドライブ緊急用トイレ。
【請求項３】
前記便腰巻形式金隠しは、左右にスライドできる金隠しシートバンド吊り具を、体型や背丈に合わせ使用出来る二段に設置した，金隠しつきの請求項１に記載した簡易ドライブ緊急用トイレ。